(57)【要約】【課題】消費電力の低減を図るディスク装置を提供する。【解決手段】電池１１により駆動され、電池１１の残量を検出する残量検出手段と、ディスクに記録された情報を読み出す読み出し手段と、該読み出し手段がディスクから読み出した情報を記録する記録手段と、該記録手段が記録した情報を読み出す記録情報読み出し手段とを備えるディスク装置１において、前記残量検出手段が検出した電池１１の残量が第一閾値以上か否か判定する第一判定手段を備え、前記読み出し手段は、前記第一判定手段が第一閾値以上であると判定した場合、前記情報を倍速以上で読み出すようにしてあり、前記第一判定手段が第一閾値以上でないと判定し、かつ前記記録情報読み出し手段が前記記録手段に記録された全ての情報を読み出した場合、前記情報を１倍速で読み出すようにしてある。【選択図】図１
2012018735.tif 000002
【特許請求の範囲】
【請求項１】
電池により駆動され、
前記電池の残量を検出する残量検出手段と、
ディスクに記録された情報を読み出す読み出し手段と、
該読み出し手段がディスクから読み出した情報を記録する記録手段と、
該記録手段が記録した情報を読み出す記録情報読み出し手段と
を備えるディスク装置において、
前記残量検出手段が検出した電池の残量が第一閾値以上か否か判定する第一判定手段
を備え、
前記読み出し手段は、
前記第一判定手段が第一閾値以上であると判定した場合、前記情報を倍速以上で読み出すようにしてあり、前記第一判定手段が第一閾値以上でないと判定し、かつ前記記録情報読み出し手段が前記記録手段に記録された全ての情報を読み出した場合、前記情報を１倍速で読み出すようにしてある
ことを特徴とするディスク装置。
【請求項２】
前記読み出し手段又は前記記録情報読み出し手段が読み出した情報を選択する選択手段
を備え、
該選択手段は、
前記記録情報読み出し手段が前記記録手段に記録された全ての情報を読み出していない場合、前記記録情報読み出し手段が読み出した情報を選択するようにしてあり、前記記録情報読み出し手段が前記記録手段に記録された全ての情報を読み出した場合、前記読み出し手段が読み出した情報を選択するようにしてある
ことを特徴とする請求項１に記載のディスク装置。
【請求項３】
前記残量検出手段が検出した電池の残量が前記第一閾値より小さい第二閾値以下か否か判定する第二判定手段と、
前記選択手段が選択した情報に基づき、前記ディスクに記録された情報を表示する表示手段と、
前記第二判定手段が第二閾値以下であると判定した場合、前記表示手段への給電を停止する手段と
を備える
ことを特徴とする請求項２に記載のディスク装置。
【請求項４】
前記読み出し手段又は前記記録情報読み出し手段が読み出した情報を、前記表示手段が表示可能な電気信号に変換する変換手段と、
前記第二判定手段が第二閾値以下であると判定した場合、前記変換手段への給電を停止する手段と
を備える
ことを特徴とする請求項３に記載のディスク装置。
【請求項５】
前記残量検出手段は、電池の残量を随時検出するようにしてあり、
前記残量検出手段が随時検出した電池の残量の経時的変化を記録する残量記録手段と、
前記電池の残量の経時的変化パターンを複数記録したパターン記録手段と、
該パターン記録手段が複数記録した残量の経時的変化パターンの内、前記残量記録手段が記録した残量の経時的変化により近い残量の経時的変化パターンを抽出する抽出手段と、
該抽出手段が抽出した残量の経時的変化パターンに基づいて、前記電池の残量の第一閾値又は第二閾値を設定する手段と
を備える
ことを特徴とする請求項１から請求項４までのいずれか一項に記載のディスク装置。
【請求項６】
前記ディスクを挿入及び排出する挿排口を有する筐体と、
前記挿排口を開閉する扉体と、
前記第二判定手段が第二閾値以下であると判定した場合、前記扉体をロックするロック手段と
を備える
ことを特徴とする請求項３又は請求項４に記載のディスク装置。
【請求項７】
前記残量検出手段が検出した電池の残量が前記第一閾値より小さい第二閾値以下か否か判定する第二判定手段と、
前記ディスクを挿入及び排出する挿排口を有する筐体と、
前記挿排口を開閉する扉体と、
前記第二判定手段が第二閾値以下であると判定した場合、前記扉体をロックするロック手段と
を備える
ことを特徴とする請求項１、請求項２又は請求項５に記載のディスク装置。
【請求項８】
前記扉体が閉じたことを検出する検出手段
を備え、
前記ロック手段は、
前記第二判定手段が第二閾値以下であると判定し、かつ前記検出手段が扉体が閉じたことを検出した場合、該扉体をロックするようにしてある
ことを特徴とする請求項６又は請求項７に記載のディスク装置。
【発明の詳細な説明】
【技術分野】
【０００１】
本発明は、ディスクに記録された情報を再生するディスク装置に関する。
【背景技術】
【０００２】
電池により駆動されるディスク装置の場合、電池容量が限られているため、消費電力を抑え、連続動作時間を延ばすことが要望される。特許文献１には、ディスクを回転させるスピンドルモータを通常より高速で回転させ、ディスクから読み出した情報をメモリに間欠的に記録することにより、システム全体の消費電力を削減するディスク装置が開示されている。特許文献１に係るディスク装置は、電池電圧が所定値以下になった場合、良好な再生動作を維持するために、スピンドルモータの回転速度を通常速度に戻す。
【先行技術文献】
【特許文献】
【０００３】
【特許文献１】特開平１１−１４９７１６号公報
【発明の概要】
【発明が解決しようとする課題】
【０００４】
しかしながら、特許文献１に係るディスク装置は、スピンドルモータの回転と停止とを間欠的に繰り返すため、回転再開時に回転数を元の回転数に戻すまでの電力消費は無駄である。そもそも、メモリの大容量化に伴い、ディスクに記録された情報の読み出し及びメモリへの記録を間欠的に繰り返す利点はない。また、電池電圧が所定値以下になったとしても、メモリに未読の情報が残っている場合、ディスクドライブへの給電を停止することができ、ましてやスピンドルモータの回転速度を通常速度に戻す必要もない。
【０００５】
本願に係るディスク装置は斯かる事情に鑑みてなされたものであり、その目的は、消費電力の低減を図るディスク装置を提供することにある。
【課題を解決するための手段】
【０００６】
本願に係るディスク装置は、電池により駆動され、前記電池の残量を検出する残量検出手段と、ディスクに記録された情報を読み出す読み出し手段と、該読み出し手段がディスクから読み出した情報を記録する記録手段と、該記録手段が記録した情報を読み出す記録情報読み出し手段とを備えるディスク装置において、前記残量検出手段が検出した電池の残量が第一閾値以上か否か判定する第一判定手段を備え、前記読み出し手段は、前記第一判定手段が第一閾値以上であると判定した場合、前記情報を倍速以上で読み出すようにしてあり、前記第一判定手段が第一閾値以上でないと判定し、かつ前記記録情報読み出し手段が前記記録手段に記録された全ての情報を読み出した場合、前記情報を１倍速で読み出すようにしてあることを特徴とする。
【０００７】
本願に係るディスク装置は、前記読み出し手段又は前記記録情報読み出し手段が読み出した情報を選択する選択手段を備え、該選択手段は、前記記録情報読み出し手段が前記記録手段に記録された全ての情報を読み出していない場合、前記記録情報読み出し手段が読み出した情報を選択するようにしてあり、前記記録情報読み出し手段が前記記録手段に記録された全ての情報を読み出した場合、前記読み出し手段が読み出した情報を選択するようにしてあることを特徴とする。
【０００８】
本願に係るディスク装置は、前記残量検出手段が検出した電池の残量が前記第一閾値より小さい第二閾値以下か否か判定する第二判定手段と、前記選択手段が選択した情報に基づき、前記ディスクに記録された情報を表示する表示手段と、前記第二判定手段が第二閾値以下であると判定した場合、前記表示手段への給電を停止する手段とを備えることを特徴とする。
【０００９】
本願に係るディスク装置は、前記読み出し手段又は前記記録情報読み出し手段が読み出した情報を、前記表示手段が表示可能な電気信号に変換する変換手段と、前記第二判定手段が第二閾値以下であると判定した場合、前記変換手段への給電を停止する手段とを備えることを特徴とする。
【００１０】
本願に係るディスク装置は、前記残量検出手段は、電池の残量を随時検出するようにしてあり、前記残量検出手段が随時検出した電池の残量の経時的変化を記録する残量記録手段と、前記電池の残量の経時的変化パターンを複数記録したパターン記録手段と、該パターン記録手段が複数記録した残量の経時的変化パターンの内、前記残量記録手段が記録した残量の経時的変化により近い残量の経時的変化パターンを抽出する抽出手段と、該抽出手段が抽出した残量の経時的変化パターンに基づいて、前記電池の残量の第一閾値又は第二閾値を設定する手段とを備えることを特徴とする。
【００１１】
本願に係るディスク装置は、前記ディスクを挿入及び排出する挿排口を有する筐体と、前記挿排口を開閉する扉体と、前記第二判定手段が第二閾値以下であると判定した場合、前記扉体をロックするロック手段とを備えることを特徴とする。
【００１２】
本願に係るディスク装置は、前記残量検出手段が検出した電池の残量が前記第一閾値より小さい第二閾値以下か否か判定する第二判定手段と、前記ディスクを挿入及び排出する挿排口を有する筐体と、前記挿排口を開閉する扉体と、前記第二判定手段が第二閾値以下であると判定した場合、前記扉体をロックするロック手段とを備えることを特徴とする。
【００１３】
本願に係るディスク装置は、前記扉体が閉じたことを検出する検出手段を備え、前記ロック手段は、前記第二判定手段が第二閾値以下であると判定し、かつ前記検出手段が扉体が閉じたことを検出した場合、該扉体をロックするようにしてあることを特徴とする。
【００１４】
本願に係るディスク装置では、ディスクに記録された情報を読み出す読み出し手段、読み出し手段がディスクから読み出した情報を記録する記録手段、及び記録手段が記録した情報を読み出す記録情報読み出し手段を備えている。また、本願に係るディスク装置は、電池の残量が第一閾値以上か否か判定する第一判定手段を備えている。第一判定手段により電池の残量が第一閾値以上と判定された場合、読み出し手段はディスクに記録された情報を倍速以上で読み出す。第一判定手段により電池の残量が第一閾値以上ではないと判定され、かつ記録情報読み出し手段が記録手段に記録された全ての情報を読み出した場合、読み出し手段はディスクに記録された情報を１倍速で読み出す。
【００１５】
本願に係るディスク装置では、記録情報読み出し手段が記録手段に記録された全ての情報を読み出していない場合、選択手段は記録情報読み出し手段が読み出した情報を選択する。記録情報読み出し手段が記録手段に記録された全ての情報を読み出した場合、選択手段は読み出し手段が読み出した情報を選択する。
【００１６】
本願に係るディスク装置では、電池の残量が第一閾値より小さい第二閾値以下か否か判定する第二判定手段、及び選択手段が選択した情報に基づいて、ディスクに記録された情報を表示する表示手段を備えている。第二判定手段により電池の残量が第二閾値以下であると判定された場合、表示手段への給電は停止される。
【００１７】
本願に係るディスク装置では、変換手段は、読み出し手段又は記録情報読み出し手段が読み出した情報を、表示手段が表示可能な電気信号に変換する。第二判定手段により電池の残量が第二閾値以下と判定された場合、変換手段への給電は停止される。
【００１８】
本願に係るディスク装置では、随時検出した電池の残量の経時的変化を記録する残量記録手段と、電池の残量の経時的変化パターンを複数記録したパターン記録手段とを備えている。パターン記録手段が記録する残量の経時的変化パターンの内、残量記録手段が記録した残量の経時的変化により近い残量の経時的変化パターンを抽出する。抽出した残量の経時的変化パターンに基づいて、第一閾値又は第二閾値が設定される。電池の残量の経時的変化パターンは、電池の劣化の程度によって異なるため、第一閾値又は第二閾値は電池の劣化の程度によって異なる。
【００１９】
本願に係るディスク装置では、筐体はディスクを挿入及び排出する挿排口を有する。ディスク装置は、挿排口を開閉する扉体を備えている。第二判定手段により電池の残量が第二閾値以下と判定された場合、扉体をロックし、扉体が開かないようにする。
【００２０】
本願に係るディスク装置では、電池の残量が第一閾値より小さい第二閾値以下か否か判定する第二判定手段を備えている。筐体はディスクを挿入及び排出する挿排口を有する。ディスク装置は、挿排口を開閉する扉体を備えている。第二判定手段により電池の残量が第二閾値以下と判定された場合、扉体をロックし、扉体が開かないようにする。
【００２１】
本願に係るディスク装置では、扉体が閉じたことを検出する検出手段を備えている。第二判定手段により電池の残量が第二閾値以下と判定され、かつ検出手段により扉体が閉じたことが検出された場合、扉体をロックし、扉体が開かないようにする。
【発明の効果】
【００２２】
本願に係るディスク装置によれば、消費電力の低減を図ることができる。
【図面の簡単な説明】
【００２３】
【図１】ディスク装置の構成の一例を示すブロック図である。
【図２】電池の電圧特性曲線の一例を示す説明図である。
【図３】制御部が実行する処理の手順を示したフローチャートである。
【図４】制御部が実行する処理の手順を示したフローチャートである。
【図５】制御部が実行する処理の手順を示したフローチャートである。
【図６】ディスクドライブの構造を示す説明図である。
【図７】シャッタを閉じた状態にロックするロックピンの周囲の構造を示す説明図である。
【図８】制御部が実行する処理の手順を示したフローチャートである。
【発明を実施するための形態】
【００２４】
以下、本発明の一実施例におけるディスク装置を、実施の形態を示す図面に基づいて説明する。なお、本発明は、以下の実施の形態に限定されるものではない。
【００２５】
実施の形態１
実施の形態１は、電池残量に応じた省電力制御を実行するディスク装置に関する。
【００２６】
図１は、ディスク装置１の構成の一例を示すブロック図である。ディスク装置１は、例えばポータブルタイプのＢＤ（Blu-ray Disc、登録商標）プレーヤ、ＤＶＤ（Digital Versatile Disk）プレーヤ等である。
ディスク装置１は、電池１１、電源回路１２、ドライブコントローラ１３、信号処理回路（変換手段）１４、記録部１５、制御部１６、操作部１７、ディスクドライブ（読み出し手段）２及び表示部（表示手段）３を含む。図１における各構成部を接続する実線は電源線を示し、破線は信号線を示している。
【００２７】
電池１１は、充電可能な二次電池であり、例えばリチウムイオン電池、ニッケル水素電池等である。
電源回路１２は、電池１１から入力された電力を各構成部に供給する。電源回路１２は、電池１１の電圧を検出する電圧検出部（残量検出手段）１２ａを含む。
【００２８】
ドライブコントローラ１３は、例えばＡＴＡインタフェース規格に従うＡＴＡコントローラであり、ディスクドライブ２と信号処理回路１４及び記録部１５との間のデータ転送を行う。
また、ドライブコントローラ１３は、制御部１６がディスクドライブ２を制御するためのインタフェースでもある。例えば、制御部１６は、ディスクの搬出に係る信号を、ドライブコントローラ１３を介して、ディスクドライブ２に送信する。
【００２９】
信号処理回路１４は、ドライブコントローラ１３を介して受け付けたディスクドライブ２からの情報を、表示部３で表示可能な形式の電気信号に変換する。また、信号処理回路１４は、記録部１５からの情報を、表示部３で表示可能な形式の電気信号に変換する。
信号処理回路１４は、変換した電気信号を表示部３に送信する。
【００３０】
記録部１５は、例えばフラッシュメモリ、メモリカード等であり、制御部１６が実行するプログラムを記録している。記録部１５は、制御部１６による処理の過程で必要な作業変数、データ等を一時的に記録する。記録部１５は、ディスクドライブ２がディスクから読み出した情報を、ドライブコントローラ１３を介して記録する。
また、記録部１５は、様々な劣化状態の電池１１に対応した電圧特性（電圧の経時的変化）パターンを記録している。
【００３１】
制御部１６は、ＣＰＵ（Central Processing Unit）、ＭＰＵ（Micro Processor Unit）等であり、ディスク装置１の各構成部を制御する。例えば、制御部１６は、電圧検出部１２ａを介して、電池１１の電圧を一定時間毎に測定し、記録部１５に記録する。制御部１６は、電池１１の電圧が所定の閾値よりも低くなった場合、電源回路１２から各構成部への給電を停止する。
信号処理回路１４が表示部３で表示可能な形式の電気信号に変換する情報は、ディスクドライブ２からの情報と、記録部１５からの情報とがある。信号処理回路１４に入力される情報の選択は、制御部１６により制御される。
【００３２】
操作部１７は、例えばボタン群からなり、ディスクの再生、ディスクの搬出等の信号を制御部１６に送信する。
【００３３】
ディスクドライブ２は、ディスクに記録された映像情報又は音声情報を信号として再生し、その信号をドライブコントローラ１３に出力する。
ディスクドライブ２のディスク挿入方式は、ディスクを挿排口から直接筐体に入れるスロットイン方式である。
【００３４】
ディスクドライブ２は、制御部１６からの制御により、ディスクの読み出し速度を倍速又は倍速以上に変更することができる。ここでの倍速は、２倍速、４倍速、８倍速等の内、１倍速より速ければよく、特定の速度に限定されない。なお、１倍速は、ＤＶＤ系のディスクの場合、例えば１．３５ＭＢ／秒の速さでデータを転送する回転速度であり、ＢＤ系のディスクの場合、例えば４．５ＭＢ／秒の速さでデータを転送する回転速度である。
【００３５】
表示部３は、信号処理回路１４からの電気信号を受け付け、ディスクに記録された映像情報を表示する。表示部３の画面は、例えば、液晶パネルディスプレイ、有機ＥＬ（Electro Luminescence）ディスプレイ等である。また、表示部３は、スピーカを含み、ディスクに記録された音声情報をスピーカから出力する。
なお、表示部３は、ディスク装置１に含まれず、ディスク装置１に接続された外部の表示装置であってもよい。
【００３６】
次に、ディスク装置１の動作について説明する。
電池１１を満充電状態にして、ディスク装置１に装着する。例えば、映画が記録されたディスクをディスクドライブ２の筐体に挿排口から差し込む。ディスクがディスク装置１内部の再生位置に配置され、操作部１７の再生ボタンが押下された場合、操作部１７は制御部１６に所定の信号を送信する。制御部１６は、操作部１７からの所定の信号に基づき、ディスクドライブ２にディスクの情報の倍速再生を指示する。
なお、制御部１６は、ディスクドライブ２に倍速以上の速度による再生を指示してもよい。
【００３７】
ディスクドライブ２は、ディスクに記録されている映像情報及び音声情報を倍速で読み出す。制御部１６は、ディスクドライブ２に、倍速で読み出した映像情報及び音声情報を、ドライブコントローラ１３を介して記録部１５に出力させる。記録部１５は、受け付けたディスクの情報を記録する。制御部１６は、記録部１５が記録したディスクの情報をディスクドライブ２の１倍速に相当する速度で読み出し、信号処理回路１４に出力する。
なお、制御部１６は、記録部１５から情報を読み出した後、読み出した情報を記録部１５から削除してもよいし、削除しなくてもよい。
【００３８】
信号処理回路１４は、制御部１６を介して記録部１５から受け付けた情報を、表示部３で表示可能な形式の電気信号に変換する。信号処理回路１４は、変換した電気信号を表示部３に送信する。
表示部３は、信号処理回路１４から送信された電気信号に応じた映像を表示すると共に、信号処理回路１４から送信された電気信号に応じた音声を出力する。
【００３９】
制御部１６は、電池１１の残量が第一閾値以上か否か一定時間毎に判定する。ここでの第一閾値は、例えばディスクの全情報を１倍速で再生するのに要する電力と、ディスクの搬出に要する電力との合計電力に対応する電圧である。
制御部１６は、電池１１の残量が第一閾値以上であると判定した場合、ディスクドライブ２にディスクの情報を継続して倍速で読み出すよう指令する。指令を受け付けたディスクドライブ２は、ディスクの情報を継続して倍速で読み出し、読み出した情報を、ドライブコントローラ１３を介して記録部１５に出力する。記録部１５は、受け付けたディスクの情報を記録する。制御部１６は、上記と同様に、記録部１５が記録したディスクの情報に基づき、１倍速再生を継続する。
こうして、ディスク装置１は、記録部１５にディスクの情報を倍速で記録すると共に、ディスクの情報を１倍速で再生する。
【００４０】
制御部１６は、ディスクドライブ２が倍速によるディスクの読み出しを終了した場合、ドライブコントローラ１３及びディスクドライブ２への給電を停止する。これにより、消費電力の削減を図ることができる。
制御部１６は、記録部１５に記録したディスクの情報に基づいて、ディスクの情報の１倍速再生を継続する。
【００４１】
制御部１６は、ディスクドライブ２が倍速によるディスクの読み出しを終了しておらず、電池１１の残量が第一閾値以上でないと判定した場合、ディスクドライブ２にディスクの倍速読み出しを停止させる。制御部１６は、ドライブコントローラ１３及びディスクドライブ２への給電を停止する。これにより、電力の消費を少なくすることができる。一方、制御部１６は、記録部１５に記録したディスクの情報に基づく１倍速再生を継続する。これにより、ユーザは映画の鑑賞を継続することができる。
【００４２】
制御部１６は、記録部１５の情報を全て再生し尽くした場合、ドライブコントローラ１３及びディスクドライブ２に電池１１の電力を供給する。制御部１６は、ディスクドライブ２にディスクの情報を１倍速で読み出させ、ディスク装置１にディスクの情報を１倍速再生させる。ディスクドライブ２に倍速よりも遅い１倍速でディスクの情報を読み出させることにより、単位時間当たりの消費電力を少なくすることができる。また、ユーザは映画の鑑賞を継続することができる。
【００４３】
なお、制御部１６は、記録部１５に未読の情報が所定量記録された状態で、ドライブコントローラ１３及びディスクドライブ２に電池１１の電力を供給してもよい。すなわち、記録部１５の情報を全て再生し尽くした次の瞬間から、ディスクドライブ２にディスクの情報を１倍速で読み出させるのではなく、記録部１５に未読の情報が所定量残っている状態から、ディスクドライブ２による読み出しの準備を始めてもよい。
【００４４】
制御部１６は、電池１１の残量が第二閾値以下か否か一定時間毎に判定し、電池１１の残量が第二閾値以下と判定した場合、表示部３に電池残量が無いことを所定時間表示した後、制御部１６以外の各構成部への給電を停止する。この電源のシャットオフに係る第二閾値は、例えばディスクの搬出に要する電力に対応する電圧である。第二閾値は上記の第一閾値より小さい。
制御部１６以外の各構成部への給電を停止することにより、電池１１の残量の減少速度を急減させ、ディスクをディスク装置１の筐体から搬出するための電池残量を確保することができる。
【００４５】
上記の場合、電池１１には、ディスクを搬出する電力が残されているため、ディスクをディスクドライブ２の筐体から取り出すことができないという状況は生じない。
なお、制御部１６により電池１１の残量が第二閾値以下と判定された場合、ドライブコントローラ１３及びディスクドライブ２への給電は停止しない形態であってもよい。消費電力が大きい構成部は、信号処理回路１４及び表示部３であるため、少なくともこれらの構成部への給電を停止する。
【００４６】
次に、電池１１の残量を判定するための第一閾値及び第二閾値の設定について説明する。
図２は、電池１１の電圧特性曲線の一例を示す説明図である。図２の縦軸は電池１１の電圧であり、横軸は電池１１の放電時間である。図２は、電池１１の満充電状態から電池切れに至るまでの放電時間経過に伴う電圧変化を示している。電圧特性曲線３１は新品の電池１１の電圧特性曲線を、電圧特性曲線３２は劣化した電池１１の電圧特性曲線である。
【００４７】
電池１１は放電時間の経過につれて異なる状態を経過する。電池１１の使用を開始する場合、急激な電圧降下が起こる。その後、長い時間に渡り、電圧は安定する。しかし、安定状態の末期に急激な電圧降下が起こる。
電池１１の電圧特性曲線は、電池１１の劣化の程度によって異なる。電池１１の劣化が進行しているほど、安定状態の電圧は低く、安定状態は短い。そのため、劣化した電池１１はより早期に切れる。
従って、電池１１の電圧に対応する第一閾値及び第二閾値は、電池１１の劣化の程度によって異なる。
【００４８】
記録部１５には、劣化の程度が様々な電池１１について、複数の電圧特性曲線パターンが記録されている。
制御部１６は、電圧検出部１２ａを介して、電池１１の電圧を一定時間毎に測定し、記録部１５に記録する。制御部１６は、記録した電池１１の電圧変化により近い電圧特性曲線パターンを抽出する。制御部１６は、抽出した電圧特性曲線パターンに基づいて、第一閾値及び第二閾値を夫々設定する。
ここで設定する第一閾値は、例えば電圧特性曲線において、電圧の安定時期から急激に電圧が低下する時期へ移行する変化点付近の電圧である。第二閾値は、例えば電圧特性曲線において、電圧の安定時期から急激に電圧が低下する時期へ移行する変化点より低い電圧である。
【００４９】
図３、図４及び図５は、制御部１６が実行する処理の手順を示したフローチャートである。図３、図４及び図５には、ディスクドライブ２による倍速読み出しから、第一閾値に基づくディスクドライブ２の１倍速読み出しを経て、第二閾値に基づくディスク装置１のシャットオフまでの処理を示す。
制御部１６は、ディスクドライブ２によるディスクの情報の倍速読み出し及び記録部１５への記録を開始する（ステップＳ１０１）。なお、ステップＳ１０１の処理は、ステップＳ１１２まで継続される。
制御部１６は、記録部１５に記録したディスクの情報を１倍速で読み出し、読み出した情報の再生を開始する（ステップＳ１０２）。なお、ステップＳ１０２の処理は、ステップＳ１１８又はステップＳ１２１まで継続される。
【００５０】
制御部１６は、一定時間毎に電池１１の電圧測定及び記録部１５への記録を開始する（ステップＳ１０３）。制御部１６は、記録部１５から記録した電池１１の電圧変化を読み出す（ステップＳ１０４）。制御部１６は、記録部１５から電池１１の電圧特性曲線パターンを読み出す（ステップＳ１０５）。制御部１６は、記録部１５から読み出した電圧変化により近い電圧特性曲線パターンを抽出する（ステップＳ１０６）。制御部１６は、抽出した電圧特性パターンに基づいて、第一閾値を設定する（ステップＳ１０７）。制御部１６は、抽出した電圧特性パターンに基づいて、第二閾値を設定する（ステップＳ１０８）。
【００５１】
制御部１６は、電池１１の電圧を測定する（ステップＳ１０９）。制御部１６は、ステップＳ１０９で測定した電圧測定値が、設定した第一閾値以上であるか否か判定する（ステップＳ１１０）。制御部１６は、ステップＳ１０９で測定した電圧測定値が、設定した第一閾値以上であると判定した場合（ステップＳ１１０：ＹＥＳ）、ディスクドライブ２による倍速読み出し及び記録部１５への記録が完了したか否か判定する（ステップＳ１１１）。制御部１６は、ディスクドライブ２による倍速読み出し及び記録部１５への記録が完了していないと判定した場合（ステップＳ１１１：ＮＯ）、ステップＳ１０９に処理を戻す。制御部１６は、ディスクドライブ２による倍速読み出し及び記録部１５への記録が完了したと判定した場合（ステップＳ１１１：ＹＥＳ）、ステップＳ１１２に処理を移す。
【００５２】
制御部１６は、ステップＳ１０９で測定した電圧測定値が、設定した第一閾値以上でないと判定した場合（ステップＳ１１０：ＮＯ）、ディスクドライブ２による倍速読み出し及び記録部１５への記録を停止する（ステップＳ１１２）。制御部１６は、ドライブコントローラ１３及びディスクドライブ２への給電を停止する（ステップＳ１１３）。制御部１６は、記録部１５に記録したディスクの情報の読み出しを完了したか否か判定する（ステップＳ１１４）。制御部１６は、記録部１５に記録したディスクの情報の読み出しを完了していないと判定した場合（ステップＳ１１４：ＮＯ）、電池１１の電圧を測定する（ステップＳ１１５）。制御部１６は、ステップＳ１１５で測定した電圧測定値が、設定した第二閾値以下であるか否か判定する（ステップＳ１１６）。制御部１６は、ステップＳ１１５で測定した電圧測定値が、設定した第二閾値以下でないと判定した場合（ステップＳ１１６：ＮＯ）、ステップＳ１１４に処理を戻す。制御部１６は、ステップＳ１１５で測定した電圧測定値が、設定した第二閾値以下であると判定した場合（ステップＳ１１６：ＹＥＳ）、ステップＳ１２１に処理を移す。
【００５３】
制御部１６は、記録部１５に記録したディスクの情報の読み出しを完了したと判定した場合（ステップＳ１１４：ＹＥＳ）、ドライブコントローラ１３及びディスクドライブ２への給電を再開する（ステップＳ１１７）。制御部１６は、ディスクドライブ２によるディスクの情報の１倍速読み出し及び再生を開始する（ステップＳ１１８）。制御部１６は、電池１１の電圧を測定する（ステップＳ１１９）。制御部１６は、ステップＳ１１９で測定した電圧測定値が、設定した第二閾値以下であるか否か判定する（ステップＳ１２０）。制御部１６は、ステップＳ１１９で測定した電圧測定値が、設定した第二閾値以下でないと判定した場合（ステップＳ１２０：ＮＯ）、ステップＳ１１９に処理を戻す。制御部１６は、ステップＳ１１９で測定した電圧測定値が、設定した第二閾値以下であると判定した場合（ステップＳ１２０：ＹＥＳ）、表示部３に電池１１の残量が無いことを表示し、制御部１６以外の各構成部への給電を停止し（ステップＳ１２１）、処理を終了する。ステップＳ１２１において、制御部１６は待機状態に入る。
【００５４】
ディスク装置１によれば、電池１１の残量が第一閾値を下回るまで（ステップＳ１１０：ＹＥＳ）、ディスクドライブ２によるディスクの読み出し速度を倍速にする。そのため、ディスクドライブ２は、１倍速でディスクを回転させて情報を読み出す場合よりも、より短時間で情報の読み出しを終了する。
ディスク装置１は、ディスクドライブ２により倍速で読み出したディスクの情報を記録部１５に記録する（ステップＳ１０１）。また、ディスク装置１は、ディスクドライブ２による倍速読み出し及び情報の記録と同時並行で、記録部１５に記録した情報の１倍速再生をする（ステップＳ１０２）。これにより、ユーザはディスクドライブ２への給電を停止した後も、ディスクの情報を利用することができる。
【００５５】
制御部１６は、電池１１の残量が第一閾値より少なくなった場合（ステップＳ１１０：ＮＯ）、又はディスクドライブ２によるディスクの倍速読み出し及び情報の記録が終了した場合（ステップＳ１１１：ＹＥＳ）、ドライブコントローラ１３及びディスクドライブ２への給電を停止する。
これにより、ディスク装置１は、電池１１の消費速度を低減することができる。電池１１の消費速度の低減は、再生時間の延長に資する。また、ドライブコントローラ１３及びディスクドライブ２への給電を停止した場合、電池１１からドライブコントローラ１３及びディスクドライブ２までの消費電流が少なくなるため、電圧ロスが減少し、電池１１の消費速度を更に低減する効果がある。
なお、第一閾値は、ディスクの情報の全てではなく、ディスクの情報の一部を１倍速で再生するのに要する電力と、ディスクの搬出に要する電力との合計電力に対応する電圧としてもよい。
【００５６】
ディスク装置１によれば、記録部１５に記録した情報の読み出しを完了していない場合（ステップＳ１１４：ＮＯ）、電池１１の残量が第二閾値より少なくなるまで（ステップＳ１１６：ＮＯ）、記録部１５に記録した情報に基づいて、ディスクの情報を再生する。これらの処理の間、ディスク装置１は、ドライブコントローラ１３及びディスクドライブ２への給電を停止することで、消費電力を削減することができる。削減した電力を記録部１５に記録した情報に基づく再生に充てることにより、ディスクに記録された情報の再生時間を延ばすことができる。
【００５７】
ディスク装置１によれば、記録部１５に記録した情報を再生し尽くした場合（ステップＳ１１４：ＹＥＳ）、電池１１の残量が第二閾値より少なくなるまで（ステップＳ１２０：ＹＥＳ）、ディスクドライブ２によるディスクの１倍速読み出し及び情報の再生を行う。
ディスクドライブ２の単位時間当たりの消費電力は、倍速再生時より１倍速再生時の方が小さいため、ディスク装置１は、ディスクに記録された情報の再生時間を更に延ばすことができる。また、記録部１５に記録した情報の読み出しが終了する前後で、記録部１５に記録した情報の再生から、ディスクドライブ２が１倍速で読み出した情報の再生へ切り替えることにより、１倍速の再生速度を保ちつつ、情報を切れ目なしに再生することができる。
【００５８】
電池を電源として動作するディスク装置は、電池の残量が無くなるまで、ディスク装置の各構成部へ給電を継続する。しかし、ディスクがディスク装置本体の内部に搬入された状態で、電池の残量が無くなった場合、ディスクを取り出せなくなる。特に、ディスク装置内部に残されたディスクが知人、レンタルショップ等から借りたディスクである場合、大きな不都合が生じる。
【００５９】
ディスク装置１によれば、電池１１の残量が第二閾値より少なくなった場合（ステップＳ１１６：ＹＥＳ、ステップＳ１２０：ＹＥＳ）、消費電力が大きい信号処理回路１４及び表示部３への給電を停止する。これにより、電池１１の残量が少ない又は無いために、筐体内にディスクが残る状況を発生させることがなくなる。ディスクを搬出する電池残量を温存した状態で、シャットオフ後の電力消費を極力抑え、筐体からの安定したディスクの取り出しが可能となる。
従って、ディスク装置１によれば、電源アダプタを介した給電が無い状況でも、筐体内にディスクが残る状況を発生させることがなくなる。
【００６０】
ディスク装置１によれば、電池１１の劣化を考慮し、第一閾値及び第二閾値（シャットオフ電圧）を設定する。
電池１１の劣化を考慮した第一閾値の設定により、ディスクドライブ２による倍速読み出し停止、並びにドライブコントローラ１３及びディスクドライブ２への給電停止を行う場合、電池１１の残量が多すぎたり、少なすぎたりすることはない。これにより、電池１１の電力を無駄なく使用することができる。
また、電池１１の劣化を考慮した第二閾値の設定により、シャットオフ時の電池１１の残量が多すぎたり、少なすぎたりすることはない。これにより、電池１１の残量が第一閾値と第二閾値との間にある場合の再生時間が短くなりすぎることはなく、ディスクを筐体から確実に取り出すことができる。
【００６１】
ディスクを筐体から取り出した後、電池切れとなった電池１１は再充電される。充電深度が深い状態で電池１１を充電した場合、電池１１の劣化が加速する。従って、電池１１の劣化を考慮した第二閾値の設定は、電池１１の劣化を抑え、電池１１のリサイクル寿命の延長に寄与する。
【００６２】
電池１１の電圧が第一閾値以下又は第二閾値以下に低下した場合、夫々ドライブコントローラ１３及びディスクドライブ２、又は制御部１６以外の各構成部への給電を停止することにより、負荷電流が下がる。これにより、電池１１の電圧は上昇し、電池１１の電圧特性曲線は電池切れまでの放電時間が延びる方向、すなわち電池切れまでの時間が延びる方向にシフトする。ディスク装置１が、例えば戸外に持ち出し可能なポータブルタイプである場合、電池切れまでの時間が延びることは利便性の向上に貢献する。
【００６３】
電池１１の電圧特性曲線は、温度によっても異なる。温度が低い場合、電池１１が劣化した場合の電圧特性曲線と類似のものになる。従って、ディスク装置１は、温度の違いによる電池特性の違いも反映して第一閾値及び第二閾値を設定することができる。
【００６４】
制御部１６は電池１１の残量を電池１１の電圧から検出するが、電池１１の残量を電池１１の電流から検出してもよい。
【００６５】
電池１１の電圧の測定及び記録は、一定時間毎に限るものではなく、ランダムな時間間隔で行ってもよい。
第一及び第二閾値に対する電池１１の残量の判定は、一定時間毎に限るものではなく、ランダムな時間間隔で行ってもよい。
【００６６】
制御部１６は、劣化の程度が様々な電池１１に関する電圧特性曲線パターンから、第一閾値及び第二閾値を夫々設定する。しかし、電池１１の劣化を考慮せず、満充電状態の電池１１の電圧に対して、各所定の割合だけ低い電圧を第一閾値及び第二閾値に夫々設定する形態であってもよい。あるいは、各所定の電圧を第一閾値及び第二閾値に夫々設定する形態であってもよい。
【００６７】
制御部１６は、ステップＳ１０９、ステップＳ１１５及びステップＳ１１９において電池１１の電圧を測定し、各測定値を夫々ステップＳ１１０、ステップＳ１１６及びステップＳ１２０の判定で使用する。しかし、ステップＳ１０３で開始する電池１１の電圧測定と記録とを第一及び第二閾値を設定した後も継続し、ステップＳ１０９、ステップＳ１１５及びステップＳ１１９において最新の測定値を記録部１５から読み出してもよい。かかる場合、読み出した最新の各測定値を夫々ステップＳ１１０、ステップＳ１１６及びステップＳ１２０の判定で使用する。
【００６８】
実施の形態２
実施の形態２は、ディスク装置の筐体の挿排口を開閉するシャッタをロックする形態に関する。
実施の形態２に係るディスク装置の構成は、図１のディスク装置１の構成と同じである。
【００６９】
図６は、ディスクドライブ２の構造を示す説明図である。ディスクドライブ２は、図６の例では横置き型であるが、縦置き型であってもよい。図６Ａは、筐体２１の天板を取り除いたディスクドライブ２の平面視の説明図である。図６Ｂは、筐体２１の側板を取り除いたディスクドライブ２の側面視の説明図である。
図７は、シャッタ２３を閉じた状態にロックするロックピン２６の周囲の構造を示す説明図である。図７Ａは、ロックピン２６の周囲における図６Ａの部分拡大図である。図７Ｂは、ロックピン２６の周囲における図６Ｂの部分拡大図である。
【００７０】
ディスクドライブ２は、略直方体の筐体２１を有し、筐体２１の短手方向の一側面には、ディスクＤを出し入れする略矩形の挿排口２２が開設されている。以下、挿排口２２を有する側面を筐体２１の正面とする。
挿排口２２の横幅は、挿入されるディスクＤの直径と略同一である。挿排口２２の縦幅は、挿入されるディスクＤの厚さと略同一である。挿排口２２の長手方向は、筐体２１正面の側面の長手方向と略同一である。
【００７１】
挿排口２２の筐体２１奥側隣部には、挿排口２２を開閉するシャッタ（扉体）２３が設けられている。シャッタ２３は、挿排口２２より大きな矩形板状をなし、その長手方向は挿排口２２の長手方向と略同一である。シャッタ２３の長手方向の一側辺の両端には、夫々長手方向と略同一方向の軸部２３ａが、互いに遠ざかる方向に向かって突設されている。シャッタ２３は、筐体２１の左右側面であって、挿排口２２及び天板に近い角部に、２つの軸部２３ａを介して軸着されている。シャッタ２３は、軸部２３ａを中心に回転することにより、挿排口２２を開閉する。図６Ｂ及び図７Ｂでは、挿排口２２を開いた状態のシャッタ２３を実線で、挿排口２２を閉じた状態のシャッタ２３を二点鎖線で示している。
【００７２】
シャッタ２３が有する２つの軸部２３ａには、夫々１つずつ捻りばね２３ｂが装着されている。シャッタ２３は、捻りばね２３ｂにより挿排口２２を閉じる状態に付勢されている。
ディスクＤを搬出するために、シャッタ２３が挿排口２２を開く場合、シャッタ２３は図示しないモータの駆動により回転する。
【００７３】
ディスクＤを挿排口２２から筐体２１内部に挿入する場合、ディスクＤの先端はシャッタ２３を押し開け、ディスクＤの一部が筐体２１内部に押し込まれる。ディスクＤを挿排口２２から筐体２１内部の所定位置まで差し込んだ場合、ディスクＤは後述する搬送機構により再生位置まで搬入される。
【００７４】
制御部１６は、操作部１７を介してディスクＤを搬出する指示を受け付けた場合、シャッタ２３を開き、搬送機構によりディスクＤの一部が挿排口２２から筐体２１外部へ突出した状態になるまで、ディスクＤを搬出する。さらにユーザがディスクＤ全体を筐体２１外部に引き出した場合、シャッタ２３は捻りばね２３ｂの付勢力により挿排口２２を閉じる。
【００７５】
筐体２１の底部２４の左縁であって、挿排口２２を閉じた状態のシャッタ２３の内側面と当接する位置に、開閉スイッチ２５が設けられている。開閉スイッチ２５は、シャッタ２３が挿排口２２を閉じたことを検出し、そのことを示す信号を制御部１６へ送信する。
【００７６】
筐体２１の底部２４の右縁であって、挿排口２２を閉じた状態のシャッタ２３の内側面と当接する位置に、筐体２１の左右側面と略平行な方向に伸びた略矩形の開口が開設されている。この開口には、開口面から筐体２１の天板方向に突出した直方体状をなすロックピン２６が設けられている。ロックピン２６は、図示しないモータの駆動により、開口に沿ってディスクＤの挿入及び排出方向と略平行に、筐体２１の左右側面に沿ってスライド移動する。
【００７７】
ディスクＤが筐体２１内部にない場合、ロックピン２６は、シャッタ２３の回転の邪魔にならないように、上記開口の筐体２１奥側端であって、シャッタ２３が回転する範囲外の位置にある。ディスクＤが筐体２１内部に挿入され、シャッタ２３が挿排口２２を閉じた場合、制御部１６はロックピン２６をシャッタ２３に近づく方向にスライド移動させる。シャッタ２３と当接する位置まで移動したロックピン２６は、閉じた状態のシャッタ２３を係止する。シャッタ２３は、ロックピン２６により係止された場合、回転が禁止される。
【００７８】
制御部１６により電池１１の電圧が第二閾値以下に低下したと判定され、かつ制御部１６が開閉スイッチ２５からシャッタ２３が閉じたことを示す信号を受け付けた場合、制御部１６はロックピン２６をシャッタ２３に近づく方向にスライド移動させ、シャッタ２３をロックピン２６で係止する。シャッタ２３は、ロックピン２６により係止された場合、回転が禁止される。
なお、ロックピン２６によりシャッタ２３をロックする場合、ディスクＤを搬出するためのモータ駆動に必要な電力には、ロックピン２６のスライド移動に要する電力が含まれる。
【００７９】
制御部１６は、ディスク装置１にアダプタから電力が供給された場合、ロックピン２６を開口の筐体２１奥側端までスライド移動させ、シャッタ２３のロックを解除する。また、制御部１６は、ディスク装置１に充電された電池１１が接続された場合も、同様にロックピン２６によるシャッタ２３のロックを解除する。
【００８０】
筐体２１の底部２４の略中央には、ディスクＤを回転する円柱状のターンテーブル２７が底部２４から筐体２１の天板方向に向かって突設されている。ディスクＤが筐体２１内部に搬入され、ディスクＤの略中心がターンテーブル２７の略中心まで移動した場合、ディスクＤはターンテーブル２７の上面と図示しないクランパとの間で挟持される。
【００８１】
ディスクＤを搬送する搬送機構は、フロントアーム２８、２９、第１搬出アーム２０１及び第２搬出アーム２０２を含む。
シャッタ２３とターンテーブル２７との間であって、シャッタ２３により近い底部２４には、長手板状の２つのフロントアーム２８、２９が設けられている。フロントアーム２８、２９の回転中心軸は、夫々開閉スイッチ２５及びロックピン２６近傍の底部２４であって、開閉スイッチ２５及びロックピン２６よりも筐体２１奥側に設けられている。フロントアーム２８、２９は、回転中心軸から互いに近づく方向に長手に形成されている。
【００８２】
フロントアーム２８、２９の回転中心軸と反対側の端には、ディスクＤの搬入及び搬出を行うローラが夫々形成されている。フロントアーム２８、２９のローラは、ディスクＤが挿排口２２から筐体２１奥側に所定位置まで差し込まれた場合、図示しないモータの駆動により回転を開始し、ディスクＤの外周縁部を保持及び回転して、ディスクＤを筐体２１内部に引き込む。ディスクＤの搬入時、平面視でフロントアーム２８は反時計回りに、フロントアーム２９は時計回りに夫々回転中心軸を中心に回転し、フロントアーム２８、２９のローラは互いに遠ざかる方向であって、かつ筐体２１の奥側に移動する。ディスクＤがターンテーブル２７に載置された場合、フロントアーム２８、２９のローラは、ディスクＤから離反する。
【００８３】
ディスクＤを搬出する場合、フロントアーム２８、２９のローラは、夫々搬入時と逆に回転し、互いに近づく方向であって、かつ挿排口２２に近づく方向に移動する。ディスクＤを搬出する場合、フロントアーム２８、２９は、ディスクＤをガイドし、夫々搬入時と逆方向に回転する。ディスクＤの一部が挿排口２２から筐体２１外部へ所定量突出した状態になり、ディスクＤの搬出が完了した場合、フロントアーム２８、２９のローラは回転を停止する。
【００８４】
ターンテーブル２７よりも筐体２１奥側の底部２４には、長手板状の第１搬出アーム２０１及び第２搬出アーム２０２が設けられている。
第１搬出アーム２０１の回転中心軸は、ターンテーブル２７を通過する筐体２１のセンターラインと筐体２１の右側面との間であって、筐体２１の背面中央寄りに設けられている。第１搬出アーム２０１は、回転中心軸から筐体２１の左側面中央付近へ向かって長手に形成されている。
第２搬出アーム２０２の回転中心軸は、第１搬出アーム２０１の略中央に設けられており、第２搬出アーム２０２は第１搬出アーム２０１に対して軸止されている。このため、第２搬出アーム２０２は、第１搬出アーム２０１に連動して回転する。第２搬出アーム２０２は、回転中心軸から筐体２１の右側面中央付近へ向かって長手に形成されている。
【００８５】
第１及び第２搬出アーム２０１、２０２の回転中心軸に対する反対側の各端には、ディスクＤの外周縁部を保持可能なローラが夫々形成されている。第１及び第２搬出アーム２０１、２０２が連動して回転する場合、第１及び第２搬出アーム２０１、２０２の各ローラは、ターンテーブル２７を通過する筐体２１のセンターラインに対して常に線対称となる位置関係を保ち、移動する。
【００８６】
ディスクＤが筐体２１内部に搬入され、ディスクＤの外周縁部が第１及び第２搬出アーム２０１、２０２の各ローラに当接した場合、平面視で第１及び第２搬出アーム２０１、２０２は、夫々時計回り、反時計回りに回転する。第１及び第２搬出アーム２０１、２０２の回転に伴い、ディスクＤの略中心がターンテーブル２７の略中心まで移動する間、各ローラは筐体２１の奥側へ移動しつつ、互いに離れる方向に移動する。ディスクＤがターンテーブル２７に載置された場合、第１及び第２搬出アーム２０１、２０２の各ローラは、ディスクＤから離反している。
【００８７】
ディスクＤの搬出時には、第１及び第２搬出アーム２０１、２０２は、図示しないモータの駆動により搬入時と逆方向に回転する。各ローラは、ディスクＤの一部が挿排口２２から筐体２１外部へ所定量突出した状態になるまで、ディスクＤを筐体２１から押し出す。
【００８８】
次に、ディスク装置１の動作について説明する。
シャットオフ後、制御部１６はディスクＤの搬出指示（イジェクト指示）以外の指示を受け付けない。
制御部１６は、操作部１７からディスクＤを搬出する指示を受け付けた場合、ドライブコントローラ１３及びディスクドライブ２に電池１１の電力を供給する。制御部１６は、ディスクドライブ２にディスクＤを搬出する信号を送信する。信号を受け付けたディスクドライブ２は、モータを駆動し、フロントアーム２８、２９のローラ並びに第１及び第２搬出アーム２０１、２０２を回転させる。ディスクドライブ２は、ディスクＤの一部が挿排口２２から筐体２１外部に突出した状態まで、ディスクＤを搬出する。
【００８９】
ユーザがディスクＤ全体を筐体２１外部に引き出した場合、シャッタ２３は捻りばね２３ｂの付勢力により挿排口２２を閉じる。開閉スイッチ２５は、シャッタ２３が挿排口２２を閉じたことを検出し、そのことを示す信号を制御部１６へ送信する。
制御部１６は、開閉スイッチ２５からシャッタ２３が閉じたことを示す信号を受け付けた場合、ロックピン２６をシャッタ２３と当接する位置までスライド移動させる。シャッタ２３は、ロックピン２６により係止され、開かなくなる。
制御部１６は、ドライブコントローラ１３及びディスクドライブ２への給電を停止する。
【００９０】
制御部１６は、ディスク装置１にアダプタから電力が供給され始めたことを検出した場合、又はディスク装置１に充電された電池１１が接続されたことを検出した場合、ドライブコントローラ１３及びディスクドライブ２への給電を開始する。制御部１６は、ロックピン２６を筐体２１奥側へスライド移動させ、シャッタ２３のロックを解除する。
【００９１】
図８は、制御部１６が実行する処理の手順を示したフローチャートである。図８では、電池１１の残量が第二閾値以下になり、制御部１６以外の各構成部への給電が停止されたシャットオフ以降の処理を示す。
制御部１６は、操作部１７からディスクＤの搬出指示を受け付けたか否か判定する（ステップＳ２０１）。制御部１６は、操作部１７からディスクＤの搬出指示を受け付けていないと判定した場合（ステップＳ２０１：ＮＯ）、処理をステップＳ２０１に戻す。制御部１６は、操作部１７からディスクＤの搬出指示を受け付けたと判定した場合（ステップＳ２０１：ＹＥＳ）、ドライブコントローラ１３及びディスクドライブ２へ給電を開始する（ステップＳ２０２）。制御部１６は、ディスクドライブ２にディスクＤを搬出する信号を送信する（ステップＳ２０３）。
【００９２】
制御部１６は、開閉スイッチ２５からシャッタ２３が閉じたことを示す信号を受け付けたか否か判定する（ステップＳ２０４）。制御部１６は、開閉スイッチ２５からシャッタ２３が閉じたことを示す信号を受け付けていないと判定した場合（ステップＳ２０４：ＮＯ）、ステップＳ２０４に処理を戻す。制御部１６は、開閉スイッチ２５からシャッタ２３が閉じたことを示す信号を受け付けたと判定した場合（ステップＳ２０４：ＹＥＳ）、ロックピン２６をスライド移動させ、ロックピン２６によりシャッタ２３を係止する（ステップＳ２０５）。制御部１６は、ドライブコントローラ１３及びディスクドライブ２への給電を停止し（ステップＳ２０６）、処理を終了する。
【００９３】
制御部１６は、ディスクＤが筐体２１内部にある場合、及びシャットオフ後にディスクＤが筐体２１から取り出された場合、シャッタ２３が開かないように、ロックピン２６によりシャッタ２３をロックする。これにより、すでに筐体２１内部にディスクＤが入っている状態で、ユーザが誤ってもう１枚のディスクＤをさらに筐体２１に差し込むことを防ぐことができる。また、シャットオフ後のディスクＤの誤挿入を防止することにより、ディスクＤの搬入に電池１１の電力が使用され、ディスクＤを搬出するための電池１１の電力が足りなくなる、又は無くなるという状況が発生しないようにすることができる。
【００９４】
ディスクドライブ２のディスク挿入方式は、ディスクＤを挿排口２２から直接筐体２１に入れるスロットイン方式である。しかし、ディスクドライブ２のディスク挿入方式は、内蔵するトレイにディスクＤを搭載し、トレイごとディスクＤを筐体２１に挿入するトレイ式であってもよい。
【００９５】
電池１１の残量が第二閾値以下になり、ディスクＤの一部が筐体２１外部に突出した状態になるまで搬出された後に、ユーザがディスクＤを筐体２１内部に押し入れた場合、ディスクドライブ２はディスクＤを筐体２１内部の再生位置に搬入する。そして、制御部１６は、ディスクドライブ２からローディング完了の信号を受け取る。かかる場合、制御部１６は、ディスクドライブ２にディスクＤを強制的に搬出させてもよい。
【００９６】
シャッタ２３は、回転して挿排口２２を開閉するものに限らない。例えば、挿排口２２と略平行な板状のシャッタが、上下又は左右にスライド移動することにより、挿排口２２の一部を開閉する形態であってもよい。
シャッタ２３のサイズは、挿排口２２より大きいものに限らない。挿排口２２を介した筐体２１に対するディスクＤの出し入れを遮断することができるのであれば、シャッタ２３のサイズは、挿排口２２より小さくてもよい。
シャッタ２３を閉じる手段は、捻りばね２３ｂに限らない。ディスクドライブ２が横置き型である場合、軸部２３ａを中心に回転自在なシャッタ２３は、自重により挿排口２２を閉じてもよい。
シャッタ２３の開放を阻止する手段は、ロックピン２６に限らない。シャッタを電磁シャッタとし、シャットオフ後にディスクＤが筐体２１から取り出された場合、シャッタが開かないようにしてもよい。
【００９７】
実施の形態２は以上の如きであり、その他は実施の形態１と同様であるので、対応する部分には同一の参照番号を付してその詳細な説明を省略する。
【符号の説明】
【００９８】
１      ディスク装置
２      ディスクドライブ
１１    電池
１２    電源回路
１２ａ  電圧検出部
１５    記録部
１６    制御部
【図１】
2012018735.tif 000003
【図２】
2012018735.tif 000004
【図３】
2012018735.tif 000005
【図４】
2012018735.tif 000006
【図５】
2012018735.tif 000007
【図６】
2012018735.tif 000008
【図７】
2012018735.tif 000009
【図８】
2012018735.tif 000010